(57)【要約】      （修正有）【課題】フラットシートを損傷や破損から安全に保護しつつ、資材浪費を無くして低コストで高効率に収納及び搬送することが可能なフラットシート入れを提供する。【解決手段】フラットシート入れ２において、台座３上に緩衝手段を設け、支持材上のクッション部材上部のつなぎ部材上に収納容器５を定位する。台座３の収納容器５を挟む両側辺部に、収納容器５を定位する支持枠を設ける。収納容器５と支持枠との間で収納容器５を上から蓋手段６で覆う。蓋手段６をなす枠フレームの２側面に側板６１を設け、他方の２側面に側面部を開閉可能に遮へいする連結パネル片からなる第１の戸板６２を設ける。また、上面部を開閉可能に遮へいする連結パネル片からなる第２の戸板６４を配設する。【選択図】図４
0003144246.tif 000002
【実用新案登録請求の範囲】
【請求項１】
複数のフラットシートを収納保持するフラットシート入れであって、
表面を載置面とし、前記載置面の周囲の１側面よりフォークリフトのフォークが載置面の下部へ抜差し可能な開口部が形成された台座と、
前記台座の前記載置面側に移動可能に積載配置され、平行する複数の仕切り部材により前記複数のフラットシートを主面が水平になるように、上下に間隔をおいて多段支持する複数の棚が形成されている箱状本体を有する収納容器と、
前記収納容器を定位するように、前記台座上の前記収納容器を挟んで対向する載置面の両側辺部から直立して配設された支持枠と、
前記収納容器と前記支持枠との間隙において、前記台座上の前記収納容器を取り囲むように覆う蓋手段と、からなり、
前記台座の前記載置面には、前記収納容器の振動を緩和する緩衝手段が設けられ、
前記蓋手段は、その上面部を画成する上枠と、複数の側面部を画成する側枠とを有し、且つ、前記箱状本体を上から覆うように底面が開口された枠フレームからなり、前記支持枠に対向する２側面のそれぞれには、前記支持枠に対面する側面部を遮へいするための側板が設けられ、他方の側面には、側面部を開閉可能に遮へいするための第１の戸板が設けられ、且つ、上面には、上面部を開閉可能に遮へいするための第２の戸板が設けられている
ことを特徴とするフラットシート入れ。
【請求項２】
前記枠フレームにおける上枠は四角形状枠体であり、対向する２側辺部の少なくともいずれかは第２の戸板と枢着され、他の２側辺部には溝形レールが配設され、
第２の戸板は、前記溝形レール内を滑り移動可能なように、複数のパネル片が折畳式に連結されてなり、
少なくとも１のパネル片が上枠の側辺部と枢着され、
前記１のパネル片を除く他のパネル片には、前記溝形レールに嵌入されて当該溝形レール内部を往復移動可能にするための滑り部材が備えられ、
前記溝形レールには、前記他のパネル片の移動を一時止めるための定位部材が設けられている
ことを特徴とする請求項１に記載のフラットシート入れ。
【請求項３】
前記第２の戸板は、上枠の対向する２側辺部の各々にパネル片が枢着された折畳式の両開き戸板として形成され、
前記定位部材は、前記蓋手段の上面部を遮へいする閉状態と、上面部を開放した開状態、並びに半開した状態のいずれかの状態にパネル片を一時止めるように、前記溝形レールに設けられている
ことを特徴とする請求項２に記載のフラットシート入れ。
【請求項４】
前記他のパネル片のいずれかには、外面に取っ手が配設されている
ことを特徴とする請求項３に記載のフラットシート入れ。
【請求項５】
第１の戸板は、複数のパネル片が折畳式に連結されてなり、いずれかのパネル片が対向する２つの側枠の少なくともいずれかに枢着されている
ことを特徴とする請求項１に記載のフラットシート入れ。
【請求項６】
第１の戸板は、前記対向する２つの側枠の各々に前記パネル片が枢着された折畳式の両開き戸板として形成されている
請求項５に記載のフラットシート入れ。
【請求項７】
前記パネル片のいずれかには、外面に取っ手が配設されている
ことを特徴とする請求項６に記載のフラットシート入れ。
【請求項８】
前記緩衝手段は、
前記載置面上で間隔をおいて直立して配置された柱状の支持部材と、
各々の支持部材の上面に配設されたクッション部材と、
隣接する支持部材においてクッション部材上を跨るように配設されたつなぎ部材とを有し、
つなぎ部材の上面に前記収納容器が載置され、当該上面には、水平方向へのずれを防止して収納容器を定位置に載置させるための定位部材が配設されている
ことを特徴とする請求項１に記載のフラットシート入れ。
【請求項９】
前記支持枠は、収納容器を挟んだ台座の両側辺部において、載置面より直立されて配設された複数の縦材と、縦材に対して連結された複数の横材からなる枠フレームであり、
縦材と載置面との間を連結するように突支え材が配設され、
縦材の上面には、他の前記フラットシート入れを定位させて多段に積み重ねるための定位部材が配設されている
ことを特徴とする請求項１に記載のフラットシート入れ。
【請求項１０】
さらに、前記他のフラットシート入れを多段に積み重ねて固定保持するための連結部材が設けられている
ことを特徴とする請求項９に記載のフラットシート入れ。
【請求項１１】
さらに、他の前記フラットシート入れを多段に積み重ねて固定保持するための連結部材が設けられている
ことを特徴とする請求項１に記載のフラットシート入れ。
【考案の詳細な説明】
【技術分野】
【０００１】
本考案は、フラットパネルディスプレイ等に用いられる大型ガラスシートや、その製造工程における中間製品の大型ガラスシートを収納又は搬送するためのフラットシート入れ（フラットシート収納・搬送体）に関する。
【背景技術】
【０００２】
液晶ディスプレイ、プラズマディスプレイなどの各種画像表示機器用のフラットパネルや、各種電子表示機能素子または薄膜を形成するための基材として、基板ガラス（ガラスシート、ガラスパネルとも称される）等のフラットシートが用いられている。
通常、ガラスメーカー等において製造されたフラットシートは、複数枚を一群として収納保持した状態で梱包され、ディスプレイメーカー等に搬送される。
【０００３】
図８に、一般的用途の大型ガラスシートを搬送するための従来のフラットシート入れ（収納ラック）の一例を示す。この収納ラック１は、台座１１と、台座１１の主面端部に直立させた突支え板１２とでＬ字形フレームをなすように構成されている。その使用時には、一群の複数枚のフラットシート１０、１０、・・・をまとめて台座１１の載置面に立てながら載せ、フラットシート１０の各々の上端部を支え板１２に寄り掛からせた状態で、フラットシート１０群をロープ１３、１３で結束して固定する。
【特許文献１】特開２００６−３２７６４２号公報
【考案の開示】
【考案が解決しようとする課題】
【０００４】
しかしながら、このような構成及び使用方法の収納ラック１では、フラットシート１０群はロープ１３のみによって固定されるため固定力が弱く、確実に収納保持されるとは言い難い。
また、収納ラック１上のフラットシート１０は、互いに直に積層された状態となるため、搬送中に不意の衝撃や揺動等を受けて、隣り合うフラットシート１０同士がぶつかったり擦れるおそれがある。このため、各々のフラットシート１０の主面や端部が損傷により破損する可能性がある。よって、このような問題の発生を気遣うために慎重な搬送が要求され、搬送効率が悪くなる。
【０００５】
また、上記した収納ラック１を使用する際には、フラットシート１０群を露出させずにビニール袋、包装用紙等で覆った状態で搬送する。このため、被覆処理に用いるビニールシート、紙等の資材コストがかかり、その分、搬送コストの上昇を招く原因となっている。
このように、フラットシート入れについては幾つかの課題がある。
【０００６】
本考案は、以上の課題を鑑みてなされたものであって、フラットシートを損傷や破損から安全に保護しつつ、資材浪費を無くして低コストで高効率に収納及び搬送することが可能なフラットシート入れを提供することを目的とする。
【課題を解決するための手段】
【０００７】
前記目的を達成するために、本考案は、複数のフラットシートを収納保持するフラットシート入れであって、表面を載置面とし、前記載置面の周囲の１側面よりフォークリフトのフォークが載置面の下部へ抜差し可能な開口部が形成された台座と、前記台座の前記載置面側に移動可能に積載配置され、平行する複数の仕切り部材により前記複数のフラットシートを主面が水平になるように、上下に間隔をおいて多段支持する複数の棚が形成されている箱状本体を有する収納容器と、前記収納容器を定位するように、前記台座上の前記収納容器を挟んで対向する載置面の両側辺部から直立して配設された支持枠と、前記収納容器と前記支持枠との間隙において、前記台座上の前記収納容器を取り囲むように覆う蓋手段と、からなり、前記台座の前記載置面には、前記収納容器の振動を緩和する緩衝手段が設けられ、前記蓋手段は、その上面部を画成する上枠と、複数の側面部を画成する側枠とを有し、且つ、前記箱状本体を上から覆うように底面が開口された枠フレームからなり、前記支持枠に対向する２側面のそれぞれには、前記支持枠に対面する側面部を遮へいするための側板が設けられ、他方の側面には、側面部を開閉可能に遮へいするための第１の戸板が設けられ、且つ、上面には、上面部を開閉可能に遮へいするための第２の戸板が設けられている構成とした。
【０００８】
ここで、前記枠フレームにおける上枠は四角形状枠体であり、対向する２側辺部の少なくともいずれかは第２の戸板と枢着され、他の２側辺部には溝形レールが配設され、第２の戸板は、前記溝形レール内を滑り移動可能なように、複数のパネル片が折畳式に連結されてなり、少なくとも１のパネル片が上枠の側辺部と枢着され、前記１のパネル片を除く他のパネル片には、前記溝形レールに嵌入されて当該溝形レール内部を往復移動可能にするための滑り部材が備えられ、前記溝形レールには、前記他のパネル片の移動を一時止めるための定位部材が設けられていることが好ましい。
【０００９】
また、前記第２の戸板は、上枠の対向する２側辺部の各々にパネル片が枢着された折畳式の両開き戸板として形成され、前記定位部材は、前記蓋手段の上面部を遮へいする閉状態と、上面部を開放した開状態、並びに半開した状態のいずれかの状態にパネル片を一時止めるように、前記溝形レールに設けるようにしてもよい。
前記他のパネル片のいずれかには、外面に取っ手が配設されている構成にすると作業性が良くなり好ましい。
【００１０】
また、第１の戸板は、複数のパネル片が折畳式に連結されてなり、いずれかのパネル片が対向する２つの側枠の少なくともいずれかに枢着されているようにしてもよい。
ここで第１の戸板は、前記対向する２つの側枠の各々に前記パネル片が枢着された折畳式の両開き戸板として形成してもよい。
この場合も、前記パネル片のいずれかには、外面に取っ手が配設されていることが好ましい。
【００１１】
なお、前記緩衝手段としては、前記載置面上で間隔をおいて直立して配置された柱状の支持部材と、各々の支持部材の上面に配設されたクッション部材と、隣接する支持部材においてクッション部材上を跨るように配設されたつなぎ部材とを有し、つなぎ部材の上面に前記収納容器が載置され、当該上面には、水平方向へのずれを防止して収納容器を定位置に載置させるための定位部材が配設されている構成が好ましい。
【００１２】
また前記支持枠としては、収納容器を挟んだ台座の両側辺部において、載置面より直立されて配設された複数の縦材と、縦材に対して連結された複数の横材からなる枠フレームであり、縦材と載置面との間を連結するように突支え材が配設され、縦材の上面には、他の前記フラットシート入れを定位させて多段に積み重ねるための定位部材が配設されている構成が好ましい。
【００１３】
さらに、前記他のフラットシート入れを多段に積み重ねて固定保持するための連結部材が設けられていることが好ましい。
【考案の効果】
【００１４】
本考案のフラットシート入れによれば、多段支持された多数の棚を持つ収納容器を利用することで、フラットシートを互いに触れ合うことなく収納容器に出し入れすることができる。また、収納容器は台座の載置面上に安定に載置され、収納容器中のフラットシートは、その主面全体において、個別に棚の表面上に安定に保持される。
従って、本考案によれば、フラットシート同士の衝突や擦れ等による損傷や破損、変形等の問題を過度に気遣わなくても搬送できるので、その分、搬送効率を向上させることができる。
【００１５】
また、本考案では、台座の載置面上に載置された収納容器が蓋手段により覆われるため、搬送時に埃の付着等によりフラットシートが汚れを生じることがない。
さらに、本考案のフラットシート入れはそのまま繰り返し使用できるので、梱包のための資材の浪費を生ずることがなく、低コストで高効率な搬送が実現できるものである。
なお、蓋手段における戸板を連結したパネル片で構成し、開閉可能にすることによって、蓋手段を丸ごと取り外さなくてもフラットシートの出し入れ作業を行うことができるので、梱包作業を効率よく行うことが可能となる。
【００１６】
さらに、支持枠の縦部材上に定位部材を設ける等の構成を利用すれば、本考案のフラットシート入れを多段に積み重ねて一度に搬送作業を行うことができる。従って、フラットシートの搬送効率を格段に向上させることが可能となっている。
【考案を実施するための最良の形態】
【００１７】
以下、本考案における実施の形態について説明する。
なお、本発明で言及するフラットシート１０は、当然ながらガラスシートに限定するものではなく、その他の素材からなるシート（例えば樹脂シート）であってもよい。
また、例えば液晶ディスプレイ、プラズマディスプレイなどの各種画像表示機器用の最終製品或いは製造過程における中間製品のいずれであってもよい。
【００１８】
図１は、本考案のフラットシート入れの構成例を示す分解斜視図である。
このフラットシート入れ２は図示するように、複数枚のフラットシート１０、１０、・・・を互いに接触させずに個別に収納保持して梱包することができるフラットシート入れであって、台座３と、支持枠４と、収納容器５と、蓋手段６とで構成される。
台座３は、複数の四角形状主面を持つ板体３ａ、３ｂを間隔をおいて積層してなる。板体３ａの上面は、緩衝手段３２を介して収納容器５が移動可能に載置される載置面３１である。載置面３１の周囲には、外部のフォークリフトのフォーク（図示せず）が載置面３１の下部へ抜差し可能な開口部３３、３３、・・・が側面毎に複数形成されている。本例においては、台座３はアルミニウム等の金属材料から作製されるが、場合に応じてプラスチックや木材等、別の部材で作製してもよい。
【００１９】
台座３の載置面３１上には、収納容器５の振動を緩和する緩衝手段３２が設けられている。緩衝手段３２は図２の側面図（支持枠４は不図示）に示すように、載置面３１上において複数箇所設けられ、直立して配置された柱状の支持部材３２１と、各々の支持部材３２１の上面に配設されたクッション部材３２２（ここでは複数の円錐台形の弾性部材を図示するが、単純な柱状等、これ以外の形状であってもよい）とを備える。また、隣接する支持部材３２１同士において、各々の上面に配された前記クッション部材３２２の上を跨るように、短冊状のつなぎ部材３４が配設されている。このつなぎ部材３４の上面に収納容器５が載置されることとなる。さらに、つなぎ部材３４の上面には、収納容器５が載置されたときに水平方向に位置ずれを生ずるのを防止するため、定位部材３５が設けられている。
【００２０】
以上の構成により、台座３上に収納容器５を載置すれば、外部からの振動や衝撃が加わっても、緩衝手段３２が弾性変形することにより、これらが収納容器５側に伝わるのが均一に和らげられるほか、複数のつなぎ部材３４により収納容器５を底面から支えることで、その載置安定化を図ることができる。さらに、定位部材３５を設けたことによって、収納容器５の載置状態を良好に定位し、位置ずれを防止することができる。
【００２１】
支持枠４は、例えば軽量且つ硬いアルミニウム材で構成されており、図１に示すように収納容器５を所定位置で位置決め（定位）する目的で、台座３上の収納容器５を挟んで対向する載置面３１の両側辺部から直立して設けられている。図示するように、支持枠４は、台座３の四角形状の載置面３１における一対の両側辺部の各々において、複数の縦材４１１、４１１、・・・を間隔をおいて直立させて配設し、さらに各縦材４１１、４１１、・・・に対して複数の横材４１３、４１３、・・・を交差させて連結した枠フレーム４１によって構成される。また、台座３の載置面３１と各々の縦材４１１、４１１、・・・との間には、これらを斜めに連結する突支え材４１４、４１４、・・・が配設される。
【００２２】
なお、縦材４１１、４１１、・・・の上面には、本考案と同じ構成を持つ他のフラットシート入れ２を定位させて多段に積み重ねることができるように、定位部材４１２、４１２、・・・が配設されている（図１、図７参照）。
突支え材４１４を設けることにより、支持枠４の支持性をより一層向上させ、安全にフラットシート１０を収納・搬送することができる。また、定位部材４１２を設けることによって、他のフラットシート入れ２を安定に積み重ねることができるほか、一度の搬送で大量のフラットシートを安全且つ効率よく搬送することも可能となる。
【００２３】
収納容器５は、内部に平行する複数の仕切部材５２、５２、・・・が間隔をおいて上下に多段状に配設されることにより、複数の棚５３が配設された箱状本体５１を有する。使用時の収納容器５では、前述の如く、載置面３１上のつなぎ部材３４の上面に移動可能に配置される。フラットシート１０、１０、・・・は、各々の主面を水平になるように棚５３に収納され、その各主面全体において、背面側から各棚５３に個別に支持される。従って、例えば図８に示す従来の収納ラックのように、フラットシート１０、１０、・・・を斜めに保持しないので、フラットシート１０の端部付近が損傷しないほか、自重によりフラットシート１０が変形するのが適切に回避され、長時間にわたり良好な形態でフラットシート１０を収納保持することができる。
【００２４】
蓋手段６は、支持枠４と収納容器５との間隙において、台座３上の収納容器５を取り囲むように覆うものであって、図１〜図６のように、上面部を画成する四角形状枠体である上枠６０１と、上面部周囲で複数（ここでは４つ）の側面部を画成する側枠６０２、６０２・・・とで構成され、使用時に収納容器５の箱状本体５１を上から覆うことができるように、底面が開口された枠フレーム６０を備えている。
【００２５】
図５の蓋手段６の一部断面図に示すように、四角形状の上枠６０１において、対向する２側辺部の少なくともいずれかが、第２の戸板６４と枢着されている。そして、他の２側辺部（ここでは各支持枠４と対向しない２側辺部）の内部には、溝形レール６４１、６４１が設けられている。
当該フレーム６０において、支持枠４と対向する２側面のそれぞれには、当該支持枠４、４と対面する側面部を遮へいするための側板６１，６１が設けられている。一方、これを除く他方の側面には、必要に応じて側面部を開閉可能に遮へいするための第１の戸板６２、６２が配設されている。さらに、上面部においても、これを必要に応じて開閉可能に遮へいするための第２の戸板６４が配設されている。
【００２６】
第２の戸板６４は、複数のパネル片が折畳式に連結して構成される。具体的に図１、図５に例示する第２の戸板６４では、例えば複数のパネル片が偶数（パネル片６４２、６４２、６４３、６４３）に等分され、その中の少なくとも１のパネル片（ここでは２つのパネル片６４２、６４２）が、支持枠４、４と対向する上枠６０１の２側辺部の各々において枢着されている（図５を参照）。
【００２７】
なお、図１、図５では、第２の戸板６４として４枚のパネル片を用い、２枚ずつのグループに分けて両開きの戸板を構成する例を示しているが、本考案はこれに限定されない。例えば１つのパネル片と、これ以外の偶数枚のパネル片のグループに分けて、両開き戸板を構成してもよい。
図１、図５に示すように、２枚ずつのパネル片を連結させた折畳式の両開き戸板を構成する場合は、例えば、１のパネル片６４２、６４２の各々端部を上枠６０１の対向する２側辺部に枢着させる（図５参照）。そして、１のパネル片６４２と他のパネル片６４３の互いの近接部分を蝶番で連結する。さらに他のパネル片６４３、６４３の端部に、溝形レール６４１、６４１の内部を往復移動可能な滑り部材、例えば回転自在に軸支されたローラ６４４、６４４、・・・を配設し、これを溝形レール６４１、６４１に嵌入させる。使用時には、ローラ６４４、６４４、・・・が溝形レール６４１、６４１に沿って移動することで、パネル片６４２、６４２、６４３、６４３からなる第２の戸板６４が滑り移動し、蓋手段６の上面部が開閉可能にされるようにする。
【００２８】
なお、溝形レール６４１、６４１の内部には、滑り部材６４４、６４４、・・・による他のパネル片６４３、６４３の移動を一時止めることができるように、例えば突起状の定位部材６４５、６４５、・・・が複数箇所にわたり配設されている。
定位部材６４５の配設位置としては、第２の戸板６４によって蓋手段６の上面部を完全に遮へいする閉状態（図６参照）、前記上面部を完全に開放した開状態（図３、図５参照）或いは、前記上面部を半開した状態（図４参照）のいずれかにおいて、一時的にローラ６４４、６４４、・・・の移動を止められるように設けるのが好適である。
【００２９】
一方、第１の戸板６２は、複数のパネル片を折畳式に連結して構成し、このうちのいずれかのパネル片が対向する２つの側枠のいずれかに枢着させることができる。ここでは図４に示すように、前記戸板６４とほぼ同様に、２枚ずつのパネル片６２１、６２２を２つのグループで連結させた折畳式の両開き戸板で構成されている。このうち、１のパネル片６２１、６２１の端部は、側枠６０２の両側辺部の各々に枢着されている。パネル片６２１、６２１に対し、他のパネル片６２２、６２２が図示しない蝶番等を利用して折り畳み可能に連結される。
【００３０】
第１の戸板６２としては、第２の戸板６４と同様に、偶数枚のパネル片のグループに等分し、折畳式の両開き戸板に構成することができるが、この構成に限定されない。
なお、第１の戸板６２及び第２の戸板６４をなす各パネル片の少なくともいずれかの外面には、図７に示すように、それぞれの開閉を容易にするために取っ手６２３、６４６を設けることが好適である。この配設位置としては、他のパネル片６２２、６４３の外面を選ぶと、良好に開閉動作を行う都合上で望ましい。
【００３１】
なお、図示しないが、閉状態に互いに対向して接触するパネル片６２２、６２２またはパネル片６４３、６４３において、各々の対向側面に磁性部材や面ファスナー等の接着部材を設けることもできる。これにより、搬送中にフラットパネル入れ２に振動や衝撃等が加わっても、戸板６２、６４がむやみに開くことはなく、安定した閉状態を保持することができる。
【００３２】
以上の構成を持つ本考案では、フラットシート１０を収納容器５に収納し、さらに収納容器５を蓋手段６で被覆した後であっても、当該収納容器５を図示しないフォークリフト等を利用して、所定の台座３の上に搭載したり、搬出することができる。また図３、図４に示すように、蓋手段６の戸板６２を開けることによって、収納容器５にフラットシート１０を出し入れできるほか、空になった収納容器５を別の収納容器５と容易に入れ替えることができる。このとき、戸板６２を開ければ容易に内部のフラットシート１０の有無を確認できるため、例えばフラットシート入れ２を多段に積層した状態でも、空の収納容器５を確認し、別の収納容器５と入れ替えることができる。
【００３３】
さらに、台座３上に収納容器５を搭載した後に、戸板６２、６４を閉じれば、外部からの埃などによってフラットシート１０が汚染されることはなく、互いのフラットシート１０を干渉させずに、一度に多くのフラットシート１０群を安全に搬送することができる。
また、本考案によれば、図７のように、台座３上に収納容器５を搭載し蓋手段６によって覆われたフラットシート入れ２の上に、他のフラットシート入れ２を多段に積み重ねることができる。
【００３４】
なお、このとき連結部材７を利用することで、積み重なったフラットシート入れ２、２を固定保持することができる。連結部材７としては、例えば軸部材の両端にＪ字状のフックが設けられたもののほか、図７に示すように、軸部材の一端にＪ字状のフック、他端にコの字形の爪を設けた構成が挙げられる。後者の使用例としては、Ｊの字状したフックを一方のフラットシート入れ２の支持枠４の横材４１３側に引っ掛けて連結する一方、コの字形の爪で他方のフラットシート入れ２の台座３の下方の板体３ｂの端部を掴むように配設する。ここで連結部材７は、複数箇所にわたり設けるのが望ましい。これにより、積み重ねたフラットシート入れ２、２をその積層状態で確実に固定して保持することができる。
【産業上の利用可能性】
【００３５】
本考案のフラットシート入れによれば、収納容器５を丸ごと搬送することによって、フラットシートを１枚１枚搬送せずにすみ、外部からの埃などによる汚染なく一度に多くのフラットシートを安定に搬送することができる。したがって、本考案によれば搬送手間が省けることができ、搬送費用、搬送時間を少なく抑えることができる。
本考案のフラットシート入れは、液晶ディスプレイ、プラズマディスプレイ等の各種画像表示機器用のフラットパネルに用いるガラスシートや、その製造過程における中間製品を収納して搬送する場合に広く利用できる。また、これらのフラットシートを安全に収納して保管する用途においても良好に利用できる。
【図面の簡単な説明】
【００３６】
【図１】本考案に係るフラットシート入れの構成を示す分解斜視図である。
【図２】本考案に係るフラットシート入れの収納容器を台座に載置した状態を示す部分的な側面図である。
【図３】本考案に係るフラットシート入れの蓋手段が開状態にある斜視図である。
【図４】本考案に係るフラットシート入れの蓋手段が半開状態にある斜視図である。
【図５】本考案に係るフラットシート入れの蓋手段の開状態を示す一部断面図である。
【図６】本考案に係るフラットシート入れの蓋手段の閉状態を示す一部断面図である。
【図７】本考案に係るフラットシート入れの積層状態を示す斜視図である。
【図８】フラットシートを搬送するための従来のフラットシート入れ（収納ラック）の構成例を示す斜視図である。
【符号の説明】
【００３７】
２    フラットシート入れ
３    台座
３ａ、３ｂ    板体
４    支持枠
５    収納容器
６    蓋手段
７    連結部材
１０    フラットシート
３１    載置面
３２    緩衝手段
３３    開口部
３４    つなぎ部材
３５  ４１２、６４５    定位部材
４１、６０    枠フレーム
５１    箱状本体
５２    仕切り部材
５３    棚
６１    側板
６２    第１の戸板
６４    第２の戸板
３２１    支持部材
３２２    クッション部材
４１１    縦材
４１３    横材
４１４    突支え材
６０１    上枠
６０２    側枠
６２１、６４２    １のパネル片
６２２、６４３    他のパネル片
６２３、６４６    取っ手
６４１    溝形レール
６４４    滑り部材
【図１】
0003144246.tif 000003
【図２】
0003144246.tif 000004
【図３】
0003144246.tif 000005
【図４】
0003144246.tif 000006
【図５】
0003144246.tif 000007
【図６】
0003144246.tif 000008
【図７】
0003144246.tif 000009
【図８】
0003144246.tif 000010